(57)【要約】【課題】背面パネルに表示される画像・文字の認識性を向上させる。【解決手段】撮像装置は、視度調整可能なファインダ１２と、前記ファインダ１２の視度を検出する視度検出部２１と、画像及び文字の少なくとも一方を表示する背面パネル１３と、前記視度に合わせて前記背面パネル１３の表示モードを変更する表示モード変更部３３と、前記視度検出部２１、背面パネル１３及び表示モード変更部３３を制御する制御部３１と、を備える。【選択図】図２
2010226193.tif 000002
【特許請求の範囲】
【請求項１】
撮像ユニットと、
視度調整可能なファインダと、
前記ファインダの視度を検出する視度検出部と、
画像及び文字の少なくとも一方を表示する背面パネルと、
前記視度に合わせて前記背面パネルの表示モードを変更する表示モード変更部と、
前記視度検出部、背面パネル及び表示モード変更部を制御する制御部と、
を備えたことを特徴とする撮像装置。
【請求項２】
請求項１に記載の撮像装置であって、
前記表示モード変更部は、前記視度に応じた拡大率で前記画像を拡大する、
ことを特徴とする撮像装置。
【請求項３】
請求項１または２に記載の撮像装置であって、
前記表示モード変更部は、前記視度に応じた拡大率で前記文字を拡大する、
ことを特徴とする撮像装置。
【請求項４】
請求項２または３に記載の撮像装置であって、
前記表示モード変更部は、前記表示モード変更前の前記背面パネルの位置を基準として、前記背面パネルとユーザの顔との距離の増大量が大きいほど前記拡大率を大きくする、
ことを特徴とする撮像装置。
【請求項５】
請求項２から４のいずれか一つに記載の撮像装置であって、
前記表示モード変更部は、前記背面パネルとユーザの顔との距離が大きいほど前記拡大率を大きくする、
ことを特徴とする撮像装置。
【請求項６】
請求項１から５のいずれか一つに記載の撮像装置であっって、
前記制御部は、前記視度がプラスのときのみ、前記表示モード変更部により前記背面パネルの表示モードを変更する、
ことを特徴とする撮像装置。
【請求項７】
請求項１から６のいずれか一つに記載の撮像装置であって、
前記制御部は、前記撮像装置の特定のボタンが操作されたときに、前記表示モード変更部により前記背面パネルの表示モードを変更する、
ことを特徴とする撮像装置。
【請求項８】
請求項１から７のいずれか一つに記載の撮像装置であって、
前記制御部は、前記背面パネルとユーザの顔との距離が増大したときに、前記表示モード変更部により前記背面パネルの表示モードを変更する、
ことを特徴とする撮像装置。
【請求項９】
請求項１から８のいずれか一つに記載の撮像装置であって、
前記制御部は、前記表示モード変更前の前記背面パネルの位置を基準として、前記背面パネルとユーザの顔との距離の増大量が所定値を超えたときに、前記表示モード変更部により前記背面パネルの表示モードを変更する、
ことを特徴とする撮像装置。
【請求項１０】
請求項１から９のいずれか一つに記載の撮像装置であって、
前記制御部は、前記背面パネルとユーザの顔との距離が所定値を超えたときに、前記表示モード変更部により前記背面パネルの表示モードを変更する、
ことを特徴とする撮像装置。
【請求項１１】
請求項１から１０のいずれか一つに記載の撮像装置であって、
前記制御部は、前記背面パネルとユーザの顔との距離が減少したときに、前記表示モード変更部による前記背面パネルの表示モードの変更を解除する、
ことを特徴とする撮像装置。
【請求項１２】
請求項１から１１のいずれか一つに記載の撮像装置であって、
前記ファインダは、表示素子を有する電子式ビューファインダであり、
前記制御部は、前記ファインダの視度調整を行う際、前記表示素子に視度調整用画像を表示する、
ことを特徴とする撮像装置。
【請求項１３】
請求項１から１２のいずれか一つに記載の撮像装置であって、
前記ファインダの視度を保存する視度保存部を備え、
前記制御部は、前記視度保存部から視度を取得する、
ことを特徴とする撮像装置。
【請求項１４】
請求項１３に記載の撮像装置であって、
前記視度保存部は、前記ファインダの視度をユーザごとに保存し、
前記制御部は、前記視度保存部に保存されている前記ファインダの視度からユーザに対応するものを選択する、
ことを特徴とする撮像装置。
【請求項１５】
視度調整可能なファインダと、
前記ファインダの視度を検出する視度検出部と、
画像及び文字の少なくとも一方を表示する背面パネルと、
前記視度に合わせて前記背面パネルの表示モードを変更する表示モード変更部と、
前記視度検出部、背面パネル及び表示モード変更部を制御する制御部と、
を備えたことを特徴とする表示装置。
【請求項１６】
視度調整可能なファインダと、画像及び文字の少なくとも一方を表示する背面パネルと、を備えた撮像装置の制御方法であって、
前記ファインダの視度を検出する工程と、
前記視度に合わせて前記背面パネルの表示モードを変更する工程と、
を含むことを特徴とする撮像装置の制御方法。
【発明の詳細な説明】
【技術分野】
【０００１】
本発明は、視度情報を利用する撮像装置、表示装置及びその制御方法に関する。
【背景技術】
【０００２】
視度調整機構付きファインダでは、視度調整機構により接眼光学系を移動させることで視度を変更することができる。これにより、ユーザが遠視や近視であっても、ファインダ内に表示される画像・文字にピントを合わすことができる。
【０００３】
特許文献１は、このような視度調整機構ファインダにおいて、ファインダの視度に応じて、ファインダ内に表示される文字を大きくすることを提案している。この構成によれば、ファインダ内の文字がより認識しやすくなる。
【先行技術文献】
【特許文献】
【０００４】
【特許文献１】特開２００８−２６８２５公報
【発明の概要】
【発明が解決しようとする課題】
【０００５】
ところで、背面パネルを備えたカメラでは、背面パネルに画像・文字を表示し、ユーザはこれを見ながら画像の確認やカメラの操作を行うことができる。
【０００６】
しかしながら、背面パネルは、ファインダのような視度調整機構を有していない。このため、ユーザが遠視や老眼で、背面パネルにピントを合わせるためにカメラを顔から遠ざけた場合には、ユーザの目に映る画像・文字が小さくなり、視認性が低下する。
【０００７】
本発明は、このような技術的課題に鑑みてなされたもので、撮像装置や表示装置において、背面パネルに表示される画像・文字の認識性を向上させることを目的とする。
【課題を解決するための手段】
【０００８】
本発明のある態様によれば、撮像ユニットと、視度調整可能なファインダと、前記ファインダの視度を検出する視度検出部と、画像及び文字の少なくとも一方を表示する背面パネルと、前記視度に合わせて前記背面パネルの表示モードを変更する表示モード変更部と、前記視度検出部、背面パネル及び表示モード変更部を制御する制御部と、を備えたことを特徴とする撮像装置が提供される。
【０００９】
また、本発明の別の態様によれば、視度調整可能なファインダと、前記ファインダの視度を検出する視度検出部と、画像及び文字の少なくとも一方を表示する背面パネルと、前記視度に合わせて前記背面パネルの表示モードを変更する表示モード変更部と、前記視度検出部、背面パネル及び表示モード変更部を制御する制御部と、を備えたことを特徴とする表示装置が提供される。
【００１０】
また、本発明の別の態様によれば、視度調整可能なファインダと、画像及び文字の少なくとも一方を表示する背面パネルと、を備えた撮像装置の制御方法であって、前記ファインダの視度を検出する工程と、前記視度に合わせて前記背面パネルの表示モードを変更する工程と、を含むことを特徴とする撮像装置の制御方法が提供される。
【発明の効果】
【００１１】
これらの態様によれば、撮像装置や表示装置において、背面パネルに表示される画像・文字の視認性が向上し、確認が容易になる。
【図面の簡単な説明】
【００１２】
【図１Ａ】本発明の実施形態に係るカメラの背面図である。
【図１Ｂ】本発明の実施形態に係るカメラの側面図である。
【図２】背面パネルの表示モード変更処理に関連する部分の機能ブロック図である。
【図３】背面パネルの表示モード変更処理のプログラムの内容を示したフローチャートである。
【図４】視度調整用画像の一例である。
【図５】本発明の作用効果を説明するための図である。
【図６】本発明の実施形態に係るデジタルフォトフレームの図である。
【図７】デジタルフォトフレームに表示する画像を取得するためのカメラを示す図である。
【図８】デジタルフォトフレームに表示する画像を取得するための双眼鏡を示す図である。
【発明を実施するための形態】
【００１３】
以下、添付図面を参照しながら本発明の実施形態について説明する。
【００１４】
第１の実施形態は撮像装置である。図１Ａ、図１Ｂは本実施形態に係るカメラ１０の概略外観を示しており、図１Ａはユーザ側の背面図、図２Ｂはユーザから見て右側の側面図である。ここではカメラ１０として、静止画撮影用のデジタルスチルカメラを想定している。なお、本実施形態のカメラ１０は、動画撮影機能を有するデジタルスチルカメラ、動画撮影機能を主機能とするデジタルビデオカメラにも適用可能である。
【００１５】
カメラ１０は、撮影レンズ１１、内部に表示素子を有する電子式ビューファインダ（以下、「ファインダ」という。）１２、背面パネル１３を備える。撮影レンズ１１から入射する光束は、ＣＣＤ、ＣＭＯＳ等のイメージセンサによって電気信号に変換され、信号処理部によって画像信号に変換される。画像信号は、画像処理部によって階調補正、ホワイトバランス処理、ノイズ低減処理等の画像処理を施される。画像処理を施された画像信号は、記憶媒体に画像データとして保存され、また、ファインダ１２の表示素子、背面パネル１３に画像として表示される。なお、イメージセンサ、信号処理部、画像処理部及び記憶媒体は、図１には図示されていない。
【００１６】
ファインダ１２は、視度調整機構を備えている。カメラ１０の背面に設けられるダイヤル１２ｄをユーザが回転させると、ファインダ１２の接眼光学系を構成するレンズの少なくとも一つが光軸方向に移動し、ファインダ１２の視度が変更される。ファインダ１２の視度は、視度調整機構の調整量に基づき視度検出部２１によって検出される。
【００１７】
背面パネル１３は、カメラ１０の背面に取り付けられ、スルー画像、撮影済み画像等の画像の他、設定画面、撮影パラメータ等の文字を表示するディスプレイである。背面パネル１３は、液晶ディスプレイで構成されるが、これに限定されず、例えば、有機ＥＬディスプレイを用いることもできる。
【００１８】
カメラ１０の背面には、通常の操作ボタン１４の他に、拡大ボタン１５、測距センサ２２が取り付けられている。また、カメラ１０の内部には、加速度センサ２３が取り付けられている。
【００１９】
拡大ボタン１５は、背面パネル１３の表示モード（以下、背面パネル１３の表示モードを、単に表示モードとする）を変更するためのボタンである。拡大ボタン１５は、ユーザがカメラ１０を把持する部位の近くに配置される。ユーザが背面パネル１３の表示が見づらいときに拡大ボタン１５を押下すると、ファインダ１２の視度に合わせて表示モードが変更される。
【００２０】
測距センサ２２は、背面パネル１３とユーザの顔との距離を測定するセンサである。測距センサ２２は、例えば、赤外光を測距対象に投光し、測距対象から反射して戻ってくる赤外光の位置に基づき距離を測定するセンサである。また、加速度センサ２３は、カメラ１０の前後方向、好ましくは、背面パネル１３に垂直な方向の加速度を検出するセンサである。
【００２１】
遠視・老眼のユーザにとって背面パネル１３の表示が見づらいとき、ユーザは、例えばカメラ１０（背面パネル１３）を顔から遠ざけるという特定の動作をとることが多い。上記のセンサはいずれも、このような特定の動作を検出するために利用される。特定の動作が検出されたときには、拡大ボタン１５が押下されたときと同様に、ファインダ１２の視度に合わせて表示モードが変更される。
【００２２】
なお、拡大ボタン１５、測距センサ２２及び加速度センサ２３は、これらのうちの少なくとも１つがカメラ１０に備わっていれば良い。
【００２３】
また、表示モードとしては、例えば、画像や文字の大きさであれば、標準の大きさ（標準モード）、標準の１．２倍の大きさ（拡大モード１）、標準の１．５倍の大きさ（拡大モード２）、標準の２倍の大きさ（拡大モード３）などである。そして、ファインダ１２の視度が１〜１．５の場合は拡大モード１、１．５〜２の場合は拡大モード２というように表示モードが変化する。このように、標準モードと拡大モード（１，２，３）の間での変更、拡大モード同士の間での変更が、「表示モードが変更される」に該当する。
【００２４】
また、画像や文字の拡大率をファインダ１２の視度に連動させても良い。この場合は、表示モードとしては、標準モードと連続拡大モードの２つになる。よって、標準モードと連続変倍モードの間での変更が「表示モードが変更される」に該当する。また、連続変倍モードでは画像や文字の大きさが連続的に変化するが、連続変倍モード内における変更も、「表示モードが変更される」に該当する。
【００２５】
図２は、カメラ１０の制御部のうち、表示モードを変更する処理に関する部分の機能ブロック図である。
【００２６】
制御部３１には、視度検出部２１、拡大ボタン１５、測距センサ２２及び加速度センサ２３からの信号が入力される。なお、拡大ボタン１５、測距センサ２２及び加速度センサ２３からの信号については、このうちの少なくとも１つの信号であれば良い。
【００２７】
制御部３１は、視度保存部３２からファインダ１２の視度の値（以下、単に視度とする）を取得する。なお、ファインダ１２の視度調整がまだ行われていない場合は、視度保存部３２にはファインダ１２の視度が保存されていない。このような場合、制御部３１は、表示や音声によって、視度調整を行うようにユーザを促す。視度調整が終わると、制御部３１は、視度検出部２１によってファインダ１２の視度を検出する。制御部３１は、検出した視度を視度保存部３２に保存し、以後、これを利用するようにする。視度保存部３２は、電源オフ後もファインダ１２の視度を保存できるよう、不揮発性メモリで構成される。
【００２８】
また、カメラ１０を複数ユーザで用いる場合を想定して、ファインダ１２の視度をユーザ毎に視度保存部３２に保存しておいても良い。このようにしておき、この中から現在使用中のユーザに対応する視度を選択すれば良い。
【００２９】
制御部３１は、入力される信号に基づき、表示モードの変更が必要か判定する。表示モードの変更が必要と判定した場合、制御部３１は、表示モード変更部３３に表示モード変更を指示する。表示モード変更部３３は、制御部３１からの指示に従い、表示モードを変更する。この変更により、ファインダ１２の視度に応じた拡大率で拡大された画像・文字が背面パネル１３に表示される。
【００３０】
図３は、表示モードを変更するプログラムの内容を示したフローチャートである。図３では、ユーザ名があらかじめ登録されていることを前提としている。このプログラムは、ＲＡＭ・ＲＯＭ等の記憶装置に格納されている。このプログラムをＣＰＵが読み出して繰り返し実行することにより、上記制御部３１及び表示モード変更部３３の機能が実現される。なお、記憶装置及びＣＰＵはカメラ１０に備わっているが、図１には図示されていない。以下、これについて説明する。
【００３１】
Ｓ１０では、ユーザにユーザ名を選択させる。ユーザ名の選択は、例えば、背面パネル１３に予め登録されているユーザ一覧を表示し、この一覧の中からユーザが自分の名前を選択することで行う。ユーザ名がない場合、別途ユーザ名の登録を行なっておく。
【００３２】
Ｓ１１では、視度調整が済んでいるか否かが判定される。視度調整済みかどうかは、例えば、現在使用中のユーザに対応するファインダ１２の視度が視度保存部３２に保存されているかどうかにより判定する。視度調整済みと判定された場合は、処理がＳ１５に進み、そうでない場合は処理がＳ１２に進む。
【００３３】
Ｓ１２〜Ｓ１４では、ファインダ１２の視度調整が行われる。
【００３４】
Ｓ１２では、ファインダ１２の表示素子に視度調整用画像が表示される。視度調整用画像はピントが合っているかをユーザが判断するのに適した画像である。視度調整用画像としては、例えば、図４に示すような交差する複数の線で構成される輝度情報のみからなる画像が用いられる。
【００３５】
Ｓ１３では、ユーザが視度調整用のダイヤル１２ｄを操作し、ファインダ１２の視度調整を行う。視度調整が完了したら処理がＳ１４に進む。視度調整の完了は、例えば、操作ボタン１４に対するユーザの操作に基づき判断される。
【００３６】
Ｓ１４では、視度検出部２１によりファインダ１２の視度が検出される。検出された視度はユーザ名とともに視度保存部３２に保存される。以上の処理が終了したら、処理がＳ１１に戻る。
【００３７】
一方、Ｓ１５以降では、ファインダ１２の視度に応じて表示モードの変更及びその解除が行われる。
【００３８】
Ｓ１５では、現在使用中のユーザに対応するファインダ１２の視度が視度保存部３２から選択され、読み出される。
【００３９】
Ｓ１６では、ファインダ１２の視度がプラス側か否かが判定される。視度がプラスとは、ユーザが遠視や老眼であることを意味する。ファインダ１２の視度がプラス側であると判定された場合は、処理がＳ１７に進み、そうでない場合は処理が終了する。
【００４０】
Ｓ１７では、測距センサ２２により、背面パネル１３とユーザの顔との距離が検出される。
【００４１】
Ｓ１８では、加速度センサ２３により、カメラ１０の加速度が検出される。
【００４２】
視度がプラス側の場合、ユーザは遠視や老眼である。よって、背面パネル１３の画像を見たとき、より見やすいように、カメラ１０（背面パネル１３）を顔から遠ざけるという特定の動作をとる。ここで、カメラ１０の位置を変えずにユーザ自身が動いた場合、測距センサ２２により特定の動作を検出できる。一方、ユーザは位置を変えずにカメラ１０を動かした場合、測距センサ２２と加速度センサ２３の少なくとも一方で、特定の動作を検出できる。
【００４３】
Ｓ１９では、表示モードを変更する条件（以下、「表示モード変更条件」という。）が成立したか判定される。測距センサ２２と加速度センサ２３の少なくとも一方で、特定の動作を検出した場合、この条件が成立したと判定される。なお、拡大ボタン１５を利用する場合は、Ｓ１７とＳ１８の処理に代えて、拡大ボタン１５が押下の検出についての処理が行われる。この場合、Ｓ１９では、拡大ボタン１５の押下が検出された場合、この条件が成立したと判定される。
【００４４】
表示モード変更条件は、背面パネル１３の表示が見づらいときに遠視・老眼のユーザがとりうる特定の動作（カメラ１０に対する操作、ユーザ自身の動作の両方を含む）が行われたときに成立したと判定される。
【００４５】
例えば、拡大ボタン１５の状態、背面パネル１３とユーザの顔との距離、及び、カメラ１０の加速度に基づき、以下の状態を満足したか判定される。そして、いずれか一つの状態を満足した場合に表示モード変更条件を満足したと判定される。
（ａ）拡大ボタン１５が押下された。
（ｂ）カメラ１０がユーザの顔から離れる方向に移動、あるいは、ユーザの顔がカメラ１０から離れる方向に移動した。すなわち、背面パネル１３とユーザの顔との距離が増大した。
（ｃ）ユーザの顔から離れる方向へのカメラ１０の移動量、あるいは、カメラ１０から離れる方向へのユーザの顔の移動量が所定値を超えた。すなわち、表示モード変更前（制御開始時）の背面パネル１３の位置を基準として、背面パネル１３とユーザの顔との距離の増大量が所定値を超えた。
（ｄ）背面パネル１３とユーザの顔との距離が所定値を超えた。
【００４６】
なお、これら（ａ）〜（ｄ）の状態を満足しているか否かについて、全て判定する必要はない。また、これら以外の状態（ただし、背面パネル１３の表示が見づらいときに遠視・老眼のユーザがとりうる特定の動作が反映されている状態）を判定するようにしてもよい。
【００４７】
表示モード変更条件が成立したと判定された場合は処理がＳ２０に進み、そうでない場合は処理がＳ２１に進む。
【００４８】
Ｓ２０では、表示モードが変更される。具体的には、背面パネル１３に画像を表示する場合には、ファインダ１２の視度がプラス側であるほど大きな拡大率で画像の一部（例えば、中央領域部分）が拡大される。背面パネル１３に文字が表示される場合には、視度がプラス側であるほど大きな拡大率で文字のサイズ（フォントサイズ）が拡大される。さらに、拡大された文字が重なったり、背面パネル１３からはみ出したりしないように、文字間隔、改行位置が調整される。
【００４９】
なお、背面パネル１３とユーザの顔との距離の増大量、背面パネル１３とユーザの顔との距離が大きいほど、ユーザが背面パネル１３の表示を見にくいと感じていると考えられるので、これらの値が大きいほど画像・文字の拡大率を大きくするようにしてもよい。
【００５０】
一方、Ｓ２１では、表示モード変更済みで、かつ、表示モードの変更を解除する条件（以下、「表示モード変更解除条件」という。）が成立したか判定される。
【００５１】
表示モード変更解除条件は、遠視・老眼のユーザが背面パネル１３の表示を認識し終えたときにユーザがとりうる特定の動作（カメラ１０に対する操作、ユーザ自身の動作の両方を含む）が行われたときに成立したと判定される。
【００５２】
例えば、背面パネル１３とユーザの顔との距離、又は、カメラ１０の加速度に基づき、カメラ１０がユーザの顔に近づく方向に移動した、あるいは、ユーザの顔がカメラ１０に近づく方向に移動したと判定されたとき、すなわち、背面パネル１３とユーザの顔との距離が減少したときには、表示モード変更解除条件が成立したと判定される。
【００５３】
なお、ユーザが他の動作をとったときに表示モード変更解除条件が成立したと判定するようにすることも可能である。例えば、拡大ボタン１５が再び押下されたときや、背面パネル１３とユーザの顔との距離が所定値よりも小さくなったときに、表示モード変更解除条件が成立したと判定するようにしてもよい。
【００５４】
表示モード変更済みで、かつ、表示モード変更解除条件が成立したと判定された場合は処理がＳ２２に進み、表示モードが元に戻される。そうでない場合は処理が終了する。
【００５５】
続いて、上記処理を行うことによる作用効果について説明する。
【００５６】
上記処理によれば、背面パネル１３における表示がファインダ１２の視度に合わせて（特に、ユーザが遠視・老眼と認定されたときに）変更されるので、背面パネル１３に表示される画像・文字の視認性が向上し、確認しやすくなる。具体的には、ファインダ１２の視度に応じた拡大率で画像・文字が拡大されるので、ユーザが遠視・老眼で背面パネル１３を見るときにカメラ１０を遠ざける等しても、背面パネル１３の表示を確認しやすくなる。
【００５７】
背面パネル１３に表示される画像・文字の拡大は、拡大ボタン１５を押下したときに行われるので、ユーザが拡大を必要とするときのみに行われる。これにより、ユーザが意図しない拡大が行われるのを防止することができる。また、例えば、全体の雰囲気を見るときは表示を拡大せず、細部を見たいときにのみ拡大ボタン１５を押下して表示を拡大する、といった使い方が可能になる。
【００５８】
また、背面パネル１３に表示される画像・文字の拡大は、ユーザが背面パネル１３とユーザの顔との距離を増大させたときに行われる。遠視・老眼のユーザは近くのものが見にくいため、背面パネル１３の表示が見やすくなるよう、カメラ１０を顔から離す、あるいは、顔をカメラ１０から離すことが多い。上記処理によれば、ユーザのこのような動作に対応させて背面パネル１３に表示される画像・文字の拡大が行われるので、ユーザが特別な操作等をしなくとも、背面パネル１３に表示される画像・文字の拡大を、必要とされるときに行うことができる。
【００５９】
図５（ａ）、（ｂ）は、遠視・老眼のユーザが背面パネル１３を見ている様子を示している。図５（ａ）のように背面パネル１３とユーザの顔の距離が近いときは、背面パネル１３の表示が見にくいため、ユーザは、図５（ｂ）のように腕を伸ばし、カメラ１０を顔から遠ざける。このとき、背面パネル１３の表示がそのままであると、目に映る画像・文字が小さくなって、視認性が低下する。しかしながら、上記処理によれば、背面パネル１３に表示される画像・文字が拡大されるので、視認性の低下は抑えられる。
【００６０】
また、背面パネル１３に表示される画像・文字の拡大は、ユーザが背面パネル１３と顔との距離を減少させたときに解除される。背面パネル１３に表示される画像・文字を確認し終えると、ユーザはそれまで遠くに離していたカメラ１０を引き寄せる、あるいは、顔をカメラ１０に近づけることが多い。上記処理によれば、ユーザのこのような動作に対応させて画像・文字の拡大が解除されるので、ユーザがボタン操作等をしなくとも、画像・文字の拡大の解除を必要とされるときに行うことができる。
【００６１】
また、上記処理は、視度がプラスのときに行われる。これは、背面パネル１３が見にくいときにユーザがカメラ１０を顔から離す等し、目に映る画像・文字が小さくなって見づらくなるのは、特に、ユーザが遠視・老眼のとき、すなわち、視度がプラスのときだからである。
【００６２】
また、背面パネル１３に表示される画像・文字の拡大は、ファインダ１２の視度に基づいて行われるので、視度調整がまだ行われていない場合は、ファインダ１２の表示素子に視度調整用画像を表示し、ユーザに視度調整を行わせるようにする。これにより、容易かつ的確に視度調整を行うことができる。
【００６３】
検出されたファインダ１２の視度は視度保存部３２に保存されるので、視度調整を毎回行う必要はない。また、ファインダ１２の視度がユーザ毎に視度保存部３２に保存され、その中から現在使用中のユーザに対応するものが選択されるようにしたので、ユーザが変わる度に視度調整を行う必要もない。
【００６４】
第２の実施形態は表示装置である。図６は本実施形態に係るデジタルフォトフレーム４０の概略外観を示している。また、デジタルフォトフレーム４０に表示する画像および視度情報を取得するための装置として、図７にはカメラ４２、図８には双眼鏡４３を示す。
【００６５】
デジタルフォトフレーム４０は、表示パネル４１を備えている。この表示パネル４１には、カメラ４２や双眼鏡４３で取得した画像が表示される他、画像以外の情報、例えば文字が表示される。そのため、デジタルフォトフレーム４０は、画像や文字の情報を記憶する記憶装置を備えている。また、デジタルフォトフレーム４０は、カメラ１０（第１実施形態）と同様に、拡大ボタン、測距センサ及び加速度センサのうちの少なくとも１つを備えている。また、デジタルフォトフレーム４０は、図３に示す表示モード変更処理を行う制御部や、視度の情報を保存する視度保存部を備えている。なお、図６において、表示パネル４１以外については、図示を省略している。
【００６６】
カメラ４２（双眼鏡４３）は、いずれも視度調整リング４４を備えている。ユーザは視度調整リング４４を回すことで視度を調整する。ここで、カメラ４２（双眼鏡４３）は、第１実施形態のカメラと同様に視度検出部を有する。よって、調整後の視度の情報は、この視度検出部によって検出される。
【００６７】
視度の情報は、カメラ４２（双眼鏡４３）からデジタルフォトフレーム４０に送られる。これにより、視度の情報は、デジタルフォトフレーム４０に取り込まれる。この視度の情報は視度保存部に保存される。視度の情報は、ユーザ毎に保存しても良い。なお、視度の情報は単独でデジタルフォトフレーム４０に送っても良いし、あるいは撮影した画像に視度の情報を添付して送っても良い。また、視度の情報や画像は、有線あるいは無線のどちらで送っても良い。
【００６８】
上記のように、デジタルフォトフレーム４０は、拡大ボタン、測距センサ及び加速度センサのうちの少なくとも１つを備えている。また、デジタルフォトフレーム４０は、表示モード変更処理を行う制御部を備えている。よって、第１実施形態と同様に、図３に示す処理が行われる。なお、デジタルフォトフレーム４０では、視度の情報はカメラ４１（双眼鏡４２）から送られてくる。そのため、デジタルフォトフレーム４０では、図３におえける処理のうち、Ｓ１１〜Ｓ１４は備えていない。
【００６９】
デジタルフォトフレーム４０における処理内容については、第１実施形態で説明したのでここでは省略する。第１実施形態では、遠視・老眼のユーザがとりうる特定の動作は、カメラ１０の背面パネル１３の表示が見づらいときに生じていたが、本実施形態では、デジタルフォトフレーム４０の表示パネル４１の表示が見づらいときに生じる。
【００７０】
本実施形態のデジタルフォトフレーム４０では、表示パネル４１の表示モードがファインダ１２の視度に合わせて（特に、ユーザが遠視・老眼と認定されたとき）変更されるので、背面パネルに表示される画像・文字の視認性が向上し、確認が容易になる。
【００７１】
以上、本発明の実施形態について説明したが、上記実施形態は本発明の適用例を示したものであり、本発明の技術的範囲を上記実施形態の具体的構成に限定する趣旨ではない。また、表示装置については詳細な説明を省略したが、撮像装置における種々の特徴は、表示装置においても生じる。
【００７２】
例えば、上記実施形態は、ファインダ１２が電子式であるが、光学式であってもよい。この場合、視度調整は、視度調整用画像ではなく、ファインダ１２内に表示される枠等をユーザがはっきり見ることができるかにより、視度調整を行う。
【００７３】
また、背面パネル１３の表示モードの変更態様は、上記画像・文字の拡大に限定されず、例えば、上記画像・文字を強調表示する等であってもよい。
【符号の説明】
【００７４】
１０…カメラ（撮像装置）
１２…電子式ビューファインダ
１２ｄ…視度調整用ダイヤル
１３…背面パネル
１４…操作ボタン
１５…拡大ボタン（特定のボタン）
２１…視度検出部
２２…測距センサ
２３…加速度センサ
３１…制御部
３２…視度保存部
３３…表示モード変更部
【図１Ａ】
2010226193.tif 000003
【図１Ｂ】
2010226193.tif 000004
【図２】
2010226193.tif 000005
【図３】
2010226193.tif 000006
【図８】
2010226193.tif 000007
【図４】
2010226193.tif 000008
【図５】
2010226193.tif 000009
【図６】
2010226193.tif 000010
【図７】
2010226193.tif 000011